(57)【要約】      （修正有）【課題】カバーを取り外さなくともレンズの角度を調整でき、壁掛け式と天井固定式の両用設置が可能な半球形ビデオ監視カメラを提供する。【解決手段】半球形ビデオ監視カメラは、主にベース座体、可動座体、ビデオカメラを含み、ベース座体上に少なくとも１つの天井板上への固定に供する固定部を設ける。ベース座体はさらに支持座体に取り付けて支持座体により壁面上に固定してもよい。ベース座体が可動座体と相互に枢設され、可動座体がベース座体上で摺動及び回動を行うことができ、またビデオカメラが可動座体に設置され、可動座体を回動させてビデオカメラの撮影角度を調整できる。【選択図】図１
0003158406.tif 000002
【実用新案登録請求の範囲】
【請求項１】
半球形ビデオ監視カメラであって、少なくとも１つの固定に供する固定部が設けられたベース座体と、前記ベース座体と相互に枢設され、前記ベース座体上で摺動及び回動を行うことができる可動座体と、前記可動座体上に設置され、撮影動作を行うビデオカメラを含むことを特徴とする、半球形ビデオ監視カメラ。
【請求項２】
前記ベース座体の中央に穿孔を設けたことを特徴とする、請求項１に記載の半球形ビデオ監視カメラ。
【請求項３】
前記穿孔の側縁を中央に向かって延伸し、受容部を形成したことを特徴とする、請求項２に記載の半球形ビデオ監視カメラ。
【請求項４】
前記可動座体の底部に位置決め部を設けたことを特徴とする、請求項１に記載の半球形ビデオ監視カメラ。
【請求項５】
前記位置決め部上に配線穿孔を設けたことを特徴とする、請求項４に記載の半球形ビデオ監視カメラ。
【請求項６】
前記位置決め部上にさらに少なくとも１つの嵌挿孔を設けたことを特徴とする、請求項４に記載の半球形ビデオ監視カメラ。
【請求項７】
前記位置決め部上にビデオカメラ固定部を設けたことを特徴とする、請求項４に記載の半球形ビデオ監視カメラ。
【請求項８】
前記可動座体の周囲に少なくとも１つの嵌合孔を設けたことを特徴とする、請求項１に記載の半球形ビデオ監視カメラ。
【請求項９】
前記可動座体上にカバーを設置し、前記カバーの側縁に前記嵌合孔と相互嵌合する嵌合部を設けたことを特徴とする、請求項８に記載の半球形ビデオ監視カメラ。
【請求項１０】
前記ビデオカメラから少なくとも１本の接続ケーブルが延伸され、前記ビデオカメラが映像を電気信号に変換して前記接続ケーブルから出力することを特徴とする、請求項１に記載の半球形ビデオ監視カメラ。
【請求項１１】
前記ビデオカメラが、無線通信プロトコルによりリモートコントローラと信号接続を行うことができ、前記リモートコントローラで複数のコマンド信号を前記ビデオカメラに送信し、それにより前記ビデオカメラの各種パラメータの調整及びＯＳＤ機能画面の表示を行うことができることを特徴とする、請求項１に記載の半球形ビデオ監視カメラ。
【請求項１２】
前記パラメータが、ビデオカメラの色、明るさ、コントラスト、文字、逆光補正等の関連のビデオカメラのパラメータのいずれかであることを特徴とする、請求項１１に記載の半球形ビデオ監視カメラ。
【請求項１３】
前記ベース座体を壁面上に設置が可能な支持座体に取り付けたことを特徴とする、請求項１１に記載の半球形ビデオ監視カメラ。
【請求項１４】
前記ビデオカメラにさらに５ボタンＯＳＤコントローラを連結してもよく、それにより前記ビデオカメラの各種パラメータを調整できるようにしたことを特徴とする、請求項１に記載の半球形ビデオ監視カメラ。
【考案の詳細な説明】
【技術分野】
【０００１】
本考案は半球形ビデオ監視カメラに関し、特に、カバーを取り外さなくてもレンズの角度を調整でき、壁掛け式と天井固定式の両用設置が可能な、半球形ビデオ監視カメラに関する。
【背景技術】
【０００２】
現在の社会の治安は安全ではなく、泥棒など違法行為に従事する者がおり、多くの人の身体的安全及び家財等が皆危険にさらされており、いつ盗まれたり、奪われたりするか分からない。単純に警察のみに依存して社会の治安を維持しようとしても、完全な保護を得ることはできず、泥棒が犯罪を行っているときに警察が現場にいなければ泥棒がどのような様子であったかを知ることはできず、検挙するのも非常に困難になる。
【０００３】
この欠点のため、警備会社の設立はすでに必須となっている。警察だけに頼っていては治安を効果的に維持することができず、且つ多くの社会の死角を細かく巡回して観察することはできないため、ここで警備員が非常に重要な役割を果たす。ビルの内部や外部環境の死角など警察が不足しているところを強化する必要があり、警備員による監視と巡回の強化が必要になる。
【０００４】
しかしながら、警備員は一日中巡回できるわけではないため、監視カメラがこのとき非常に重要な役割を果たし、一定の回動を行って撮影することができ、撮影した映像を保存して後日確認できるため、警備員等が巡回し続ける必要がなく、間歇的に不定期の巡回をすればよい。
【０００５】
上述の監視カメラはその場所の現在の映像画面を中央コントロールセンターにはっきりと送信することができ、コントロールセンターの監視員が、画面中に犯罪行為を見つけたとき、即時に画面に対して対応することができ、監視カメラが中央コントロールセンターに接続されていなくても、被害者が事後に監視カメラを確認し、その後の訴訟で有力な証拠とすることができるため、監視カメラ器材は、犯罪の打撃と証拠の保全において、非常に重要な設備である。
【０００６】
しかしながら、上述の監視カメラは使用時に次のような問題と欠点が確実に存在し、改善が待たれている。
一、  
このような監視カメラはレンズの位置を変えたいとき、カバー全体を取り外す必要があり、このとき大量の埃が進入するため、面倒であるだけでなく、埃の進入がカメラのレンズに傷をつけてしまうことがある。
二、  
従来の監視カメラは壁掛けまたは天井設置を選択することはできず、単一の設置を採用できるのみであり、使用者にとって理想的でなく、設置の選択性がゼロに等しい。
したがって、上述の従来品の問題と欠点をいかに解決するかが、本考案の考案者と関連産業に従事する企業が改善を研究する方向性である。
【考案の概要】
【考案が解決しようとする課題】
【０００７】
本考案の考案者は上述の欠点に鑑みて、関連資料を収集し、多方面の評価と考慮を経て、関連産業において蓄積した長年の経験に基づき試作と修正を重ね、このカバーを取り外さなくともレンズの角度を調整でき、壁掛け式と天井固定式の両用設置が可能な半球形ビデオ監視カメラの実用新案の開発に至った。
【０００８】
本考案の主な目的は、カバーを取り外さなくともレンズの角度を調整できる、半球形ビデオ監視カメラを提供することにある。
【０００９】
本考案の別の目的は、壁掛け式と天井固定式の両用設置が可能な、半球形ビデオ監視カメラを提供することにある。
【００１０】
本考案のさらに別の目的は、コントローラでビデオカメラの各種パラメータを調整できる、半球形ビデオ監視カメラを提供することにある。
【課題を解決するための手段】
【００１１】
本考案の半球形ビデオ監視カメラは、ベース座体に少なくとも１つの固定に供する固定部が設けられ、前記固定部により天井板上に固定でき、前記ベース座体上に可動座体が枢設され、前記可動座体が前記ベース座体上で摺動及び回動することができ、前記可動座体上にビデオカメラが設置され、前記可動座体が摺動して回動すると同時に前記ビデオカメラも同時に回動され、使用者が手動で前記可動座体を回動させると、同期して前記ビデオカメラの撮影角度を調整することができると共に、前記可動座体上にカバーが設置され、前記カバーが前記ビデオカメラを埃から隔絶し、前記ビデオカメラに埃が付着してレンズがぼやけることのないようにする。上述の技術により、従来の監視カメラに存在する、このような監視カメラのレンズの位置を変えたいときにカバー全体を取り外す必要があり、このときに大量の埃が進入し、非常に手間がかかるだけでなく、埃の進入によりカメラのレンズに傷がつくという問題点を打破し、前記ベース座体と前記可動座体の枢設により、前記可動座体を前記ベース座体上で摺動及び回動自在とし、前記可動座体上にビデオカメラを設置することで、使用者が前記可動座体またはカバーを回動させるだけでビデオカメラの撮影角度を調整でき、実用性と進歩性を備えている。
【００１２】
前記ベース座体上に可動座体を枢設し、前記可動座体上にビデオカメラを設置して、前記ビデオカメラが前記可動座体上で撮影を行うと共に、前記ベース座体を支持座体に取り付けることで、前記ベース座体を前記支持座体上に設置して、さらに前記支持座体を直立式の壁面上に固定し、前記ビデオカメラを壁面上に掛けて監視と撮影を行うことができる。上述の技術により、従来の監視カメラに存在する、監視カメラが壁掛け式または天井設置式を選択できず、単一性の設置を採用できるのみであり、使用者にとって理想的でなく、壁掛け式の設置の選択性がゼロに等しいという問題点を打破し、前記支持座体と前記ベース座体の組み込みにより、前記ビデオカメラを壁面上に掛けて設置でき、前記半球形ビデオ監視カメラを天井板上に設置できるだけでなく、壁面上に掛けて設置できるようにして、選択性と拡充性を持たせており、実用性と進歩性を備えている。
【００１３】
前記ビデオカメラが無線通信プロトコルでリモートコントローラと信号接続を行い、前記リモートコントローラが複数のコマンド信号を前記ビデオカメラに送信し、前記ビデオカメラの各種パラメータの調整とＯＳＤ機能画面の表示を行うことができ、前記パラメータが、ビデオカメラの色、明るさ、コントラスト、文字、逆光補正等の関連のビデオカメラのパラメータのいずれかとすることができ、そのうち、前記ビデオカメラには５ボタンＯＳＤコントローラを接続し、それにより前記ビデオカメラの各種パラメータを調整できるようにしてもよい。
【考案の効果】
【００１４】
全部の図に示すように、本考案の使用時には従来技術と比較して次のような利点が確実に存在する。
一、  
前記ベース座体１１と前記可動座体１２の枢設により、前記可動座体１２を前記ベース座体１１上で摺動及び回動させることができ、また前記可動座体１２上にビデオカメラ１４を設置して、使用者が前記可動座体１２を回動させるだけでビデオカメラ１４の撮影角度を調整でき、実用性と進歩性を備えている。
二、  
前記支持座体５０aに前記ベース座体１１aを取り付けることにより、前記ビデオカメラ１４aを壁面６０a上に掛けることができ、前記半球形ビデオ監視カメラ１０を天井板２０上に設置できるだけでなく、同時に壁面６０a上に掛けて設置できるようにして、選択性と拡充性を持たせており、実用性と進歩性を備えている。
三、  
使用者は前記リモートコントローラ７０ｂにより遠距離から前記ビデオカメラ１４ｂをリモートコントロールすることができ、利便性を備えている。
四、  
使用者はカバー１３を取り外す必要なく、前記ビデオカメラ１４を同期して回動させ、その撮影角度を調整できる。
【図面の簡単な説明】
【００１５】
【図１】本考案の最良の実施例の立体図である。
【図２】本考案の最良の実施例の立体分解図である。
【図３】本考案の最良の実施例の動作を示す立体図である。
【図４】本考案の最良の実施例の実施を示す立体図である。
【図５】本考案の別の最良の実施例の実施を示す立体図である。
【考案を実施するための形態】
【００１６】
上述の目的及び効果を達するため、本考案が採用する技術手段及び構造について、図面と本考案の最良の実施例を開示してその特徴と機能を以下で詳細に説明する。
【実施例１】
【００１７】
図１と図２に本考案の最良の実施例の立体図及び立体分解図をそれぞれ示す。これらの図からはっきりと分かるように、本考案の半球形ビデオ監視カメラ１０は、主にベース座体１１、可動座体１２、ビデオカメラ１４、枢設部材３０を含む。
【００１８】
前記ベース座体１１は少なくとも１つの固定に供する固定部１１１が設けられ、前記ベース座体１１中央に穿孔１１２が形成され、前記穿孔１１２の側縁に中央に向かって延伸して受容部１１３が形成される。
【００１９】
前記可動座体１２は前記ベース座体１１と相互に枢設され、前記可動座体１２が前記ベース座体１１上で摺動及び回動を行うことができる。前記可動座体１２の底部に前記穿孔１１２に嵌入できる位置決め部１２１が設けられ、前記位置決め部１２１上に電気配線を通過させるための配線穿孔１２２が形成され、さらに前記位置決め部１２１上に少なくとも１つの前記可動座体１２と前記ベース座体１１を相互に枢設して保持するために供する嵌挿孔１２３が形成され、また前記位置決め部１２１上にビデオカメラ１４の固定に供するビデオカメラ固定部１２４が設けられる。さらに前記可動座体１２の周囲にカバー１３と相互に結合させるために供する少なくとも１つの嵌合孔１２５が形成され、前記カバー１３が側縁に設けられた嵌合部１３１と前記嵌合孔１２５を相互に嵌合させて取り付けられる。
【００２０】
前記ビデオカメラ１４は前記可動座体１２上に設置され、撮影動作を行い、そのうち前記ビデオカメラ１４からは少なくとも１本の接続ケーブル１４１が延伸され、前記ビデオカメラが映像を電気信号に変換し、前記接続ケーブル１４１から出力する。
【００２１】
前記枢設部材３０は前記穿孔１１２と前記嵌挿孔１２３に穿設されて、前記穿孔１１２の底部に嵌置され、前記可動座体１２と前記ベース座体１１の枢設を形成し、回動の位置規制効果を達する。
【００２２】
上述の構造、構成設計に基づき、本考案の使用作動状況について以下で説明する。同時に図２と図３に本考案の最良の実施例の立体分解図と動作を示す立体図をそれぞれ示す。これらの図からはっきりと分かるように、前記ベース座体１１は少なくとも１つの固定に供する固定部１１１を備え、前記固定部１１１を用いてベース座体１１を天井板２０上に固定することができ、前記ベース座体１１上には可動座体１２が枢設されており、前記可動座体１２は前記ベース座体１１上で摺動及び回動を行うことができ、摺動及び回動を行うのと同時に、可動座体１２上にはビデオカメラ１４が設置されているため、使用者が前記ビデオカメラ１４の角度を調整しようと動かすと、前記可動座体１２の位置決め部１２１が前記穿孔１１２の受容部１１３上で回動し、前記可動座体１２と前記ベース座体１１の両者は枢設部材３０によって枢設されており、前記枢設部材３０が前記嵌挿孔１２３と前記穿孔１１２に穿設されて前記穿孔１１２底部に嵌置され、前記可動座体１２とベース座体１１の枢設を形成するとともに、回動の位置規制効果を達し、前記ビデオカメラ１４は前記可動座体１２上に設置されており、可動座体１２の回動時に前記ビデオカメラ１４も同時に回動するため、使用者は手４０で前記可動座体１２を回動させて調整でき、前記枢設部材３０が前記穿孔１１２底縁で摺動して、前記可動座体１２が脱落することなく円滑に摺動及び回動を行うことができる。
【００２３】
図４に本考案の最良の実施例の実施状態を示す立体図を示す。この図からはっきりと分かるように、前記ベース座体１１ａはさらに支持座体５０ａに取り付けられており、前記支持座体５０ａは壁面６０ａに設置されている。前記壁面６０ａは直立式の壁面６０ａとしてもよく、前記支持座体５０ａと前記ベース座体１１ａの組み込みにより、前記ビデオカメラ１４ａを壁面６０ａ上に掛けて設置でき、前記半球形ビデオ監視カメラ１０ａを天井板上に設置できるだけでなく、壁面６０ａ上に掛けて設置できるようにして、選択性と拡充性を持たせており、実用性と進歩性を備えている。
【実施例２】
【００２４】
図５に本考案の別の最良の実施例の実施状態を示す立体図を示す。この図からはっきりと分かるように、前記ビデオカメラ１４ｂは無線通信プロトコルによってリモートコントローラ７０ｂと信号接続を行ってもよく、前記リモートコントローラ７０ｂは複数のコマンド信号を前記ビデオカメラ１４ｂに送信することができ、それにより前記ビデオカメラ１４ｂの各種パラメータの調整及びＯＳＤ機能画面の表示を行うことができ、前記パラメータはビデオカメラの色、明るさ、コントラスト、文字、逆光補正等の関連ビデオカメラ１４ｂのパラメータのいずれかとすることができる。これにより、使用者は前記リモートコントローラ７０ｂで遠距離から前記ビデオカメラ１４ｂに対してリモートコントロールを行うことができ、非常に便利である。さらに、前記ビデオカメラ１４ｂには５ボタンＯＳＤコントローラを接続し、それにより前記ビデオカメラ１４ｂの各種パラメータを調整できるようにしてもよい。
【００２５】
以上の説明は本考案の最良の実施例であり、本考案の特許範囲を限定せず、本考案の明細書及び図面の内容を運用した簡易な修飾及び同等効果の構造変化はすべて本考案の特許範囲内に含まれる。
【００２６】
上述をまとめると、本考案の半球形ビデオ監視カメラは、使用時にその効果と目的を確実に達成することができるため、本考案は実用性に優れた創作であり、実用新案登録出願の要件を満たしているため、法に基づきここに出願を提出するものである。
【符号の説明】
【００２７】
１０、１０ａ    半球形ビデオ監視カメラ
１１、１１ａ    ベース座体
１１１    固定部
１１２    穿孔
１１３    受容部
１２      可動座体
１２１    位置決め部
１２２    配線穿孔
１２３    嵌挿孔
１２４    ビデオカメラ固定部
１２５    嵌合孔
１３      カバー
１３１    嵌合部
１４、１４ａ、１４ｂ    ビデオカメラ
１４１    接続ケーブル
２０      天井板
３０      枢設部材
４０      手
５０ａ    支持座体
６０ａ    壁面
７０ｂ    リモートコントローラ
【図１】
0003158406.tif 000003
【図２】
0003158406.tif 000004
【図３】
0003158406.tif 000005
【図４】
0003158406.tif 000006
【図５】
0003158406.tif 000007
【手続補正書】
【提出日】平成22年1月22日(2010.1.22)
【手続補正１】
【補正対象書類名】実用新案登録請求の範囲
【補正対象項目名】請求項１２
【補正方法】変更
【補正の内容】
【請求項１２】
前記パラメータが、ビデオカメラの色、明るさ、コントラスト、文字、逆光補正のいずれかであることを特徴とする、請求項１１に記載の半球形ビデオ監視カメラ。